(57)【要約】【課題】同時に表示される複数のウィンドウのいずれを拡大表示しても、全てのウィンドウが夫々全範囲表示させるようにする。【解決手段】表示画面３０のウィンドウ表示エリア３１では、図４（ａ）に示すように、４個のタイルウィンドウ３２〜３５がタイルが張り付けられたように表示され、そのうちの１つ、例えば、タイルウィンドウ３５をポインタ３８でフォーカスすると、図４（ｂ）に示すように、このフォーカスされたタイルウィンドウ３５が拡大表示される。これとともに、フォーカスされなかった他のタイルウィンドウ３２〜３４は縮小表示され、しかも、これら縮小されたタイルウィンドウ３２〜３４は、ウィンドウ表示エリア３１での拡大されたタイルウィンドウ３５の表示範囲以外の範囲内で、互いに重ならないように、表示される。【選択図】図４（ａ）
2008052580.tif 000002
【特許請求の範囲】
【請求項１】
同一表示画面の所定のウィンドウ表示エリア上に複数の異なる画像を互いに異なるウィンドウで同時に表示するウィンドウ表示方法であって、
少なくとも、複数のタイルウィンドウを、重なり合うことなく、該ウィンドウ表示エリアに表示し、
該タイルウィンドウのいずれか１つを選択することにより、選択された該タイルウィンドウを拡大表示し、
選択されない他のタイルウィンドウを縮小し、拡大表示される該タイルウィンドウを含む他の該ウィンドウと重なり合うことなく、該ウィンドウ表示エリアに表示することを特徴とする画像表示方法。
【請求項２】
請求項１において、
前記タイルウィンドウに表示される画像は、分析装置本体での試料の成分分析処理による分析結果を表わす画像データの画像であって、
前記表示画面の前記ウィンドウ表示エリア外に、該分析装置本体で他の試料の成分分析処理をコントロールするためのコントロールウィンドウを表示したことを特徴とする画像表示方法。
【請求項３】
請求項１または２において、
前記タイルウィンドウに表示する画像は、画像データ全体を表わすものであって、
画像データ全体の画像を表示した前記タイルウィンドウが選択されて拡大表示されるとともに、該画像も拡大表示されることを特徴とする画像表示方法。
【請求項４】
請求項１または２において、
前記タイルウィンドウに表示する画像は、画像データの一部を表わすものであって、
画像データの一部の画像を表示した前記タイルウィンドウが選択されて拡大表示されるとともに、該画像の表示範囲が拡大表示されることを特徴とする画像表示方法。
【請求項５】
請求項１〜４のいずれか１つにおいて、
前記ウィンドウ表示エリア上には、前記タイルウィンドウ上に重ねて１以上の通常ウィンドウを表示し、
該通常ウィンドウは選択によって拡大表示されることを特徴とする画像表示方法。
【請求項６】
請求項５において、
前記通常ウィンドウに表示する画像は、画像データ全体を表わすものであって、
画像データ全体の画像を表示した前記通常ウィンドウが選択されて拡大表示されるとともに、該画像も拡大表示されることを特徴とする画像表示方法。
【請求項７】
請求項５において、
前記通常ウィンドウに表示する画像は、画像データの一部が表わすものであって、
画像データの一部の画像を表示した前記通常ウィンドウが選択されて拡大表示されるとともに、該画像の表示範囲が拡大表示されることを特徴とする画像表示方法。
【請求項８】
請求項５，６または７において、
前記タイルウィンドウのいずれか１つが選択されて拡大表示されるとき、前記通常ウィンドウの全てを縮小し、縮小表示される前記タイルウィンドウに重ねて表示することを特徴とする画像表示方法。
【請求項９】
請求項５，６または７において、
前記通常ウィンドウのいずれか１つを選択することにより、前記ウィンドウ表示エリア内で選択された前記通常ウィンドウを拡大表示し、
選択されない他の前記通常ウィンドウを縮小し、前記ウィンドウ表示エリア内での拡大表示される前記通常ウィンドウの表示エリア外に前記タイルウィンドウに重ねて表示することを特徴とする画像表示方法。
【請求項１０】
請求項５，６または７において、
前記タイルウィンドウのいずれか１つが選択されて拡大表示されるとき、前記通常ウィンドウの全てを縮小し、前記ウィンドウ表示エリア内で前記タイルウィンドウと前記通常ウィンドウとのいずれとも重なり合うことなく、表示することを特徴とする画像表示方法。
【請求項１１】
請求項５，６または７において、
前記通常ウィンドウのいずれか１つを選択することにより、前記ウィンドウ表示エリア内で選択された前記通常ウィンドウを拡大表示し、
選択されない通常ウィンドウと前記タイルウィンドウとの全てを縮小し、前記ウィンドウ表示エリア内で前記タイルウィンドウと前記通常ウィンドウとのいずれとも重なり合うことなく、表示することを特徴とする画像表示方法。
【発明の詳細な説明】
【技術分野】
【０００１】
本発明は、例えば、試料の成分分析装置による分析結果などの画像データを画像表示装置でウィンドウ表示する画像表示方法に関する。
【背景技術】
【０００２】
食品などの試料の成分を分析する装置として、例えば、分光光度計などの分光分析装置や液体クロマトグラフ分析装置などといった成分分析装置が知られている。
【０００３】
例えば、液体クロマトグラフ分析装置は、ポンプによって圧力が加えられた溶離液の流れに試料を注入し、これをカラムに通すことによって各成分に分離し、このように各成分が分離された溶出液の変化を検出器で検出して電気信号に変換し、この電気信号をもとに成分の同定（種類の決定）と成分の定量を行なうものであり、このようにして得られた分析結果は、画面表示される（例えば、特許文献１参照）。
【０００４】
このように、試料の分析装置の分析結果は画面表示されるのであるが、このような分析結果は、複数種のものであって、夫々が同時に表示され、オペレータがこれらを同時に見ることができるようにしている。
【０００５】
ところで、複数の情報を同時に画面表示する方法として、表示画面に複数のウィンドウを設定し、夫々毎に別々の情報を表示するようにした表示方法が知られている（例えば、特許文献２参照）。
【０００６】
この特許文献２に記載の技術は、ウィンドウを複数の異なるウィンドウパネルに区分し、夫々毎に情報を表示するものである。ここで、これら複数のウィンドウパネルのうちの１つ（これは、主ウィンドウパネルと呼ばれる）は、他のウィンドウパネルの情報の詳細を表示するためのものであって、所定の項目の情報が表示されているウィンドウパネルをクリックすると、このウィンドウでこのクリックされた項目の詳細が表示されるとともに、同じ詳細が拡大されて主ウィンドウパネルに表示されるものである。
【０００７】
ここで、この項目がクリックされたウィンドウパネルで、この項目が表示されて情報量が多くなることにより、このウィンドウパネルで詳細を表示しきれなくなると、このウィンドウパネルが拡大し、この詳細も含めて情報全体が表示可能となり、また、同様にして、項目の詳細が表示されている主ウィンドウパネルをクリックすると、この主ウィンドウが拡大してこの項目の詳細全体が表示されるようになる。
【特許文献１】特許第３１８００１０号公報
【特許文献２】特開平１０ー３２６１３６号公報
【発明の開示】
【発明が解決しようとする課題】
【０００８】
ところで、上記特許文献２に記載の技術では、オペレータが注目するウィンドウパネルをクリックすると、このウィンドウパネルが拡大し、そこに表示される情報全体が表示可能となり、オペレータにとって見やすいものとなるが、このウィンドウパネルが拡大した分、このウィンドウパネルの隣りのウィンドウパネルの一部が隠されてしまい、この隣りのウィンドウパネルの情報が一部見ることができなくなる。
【０００９】
勿論、注目するウィンドウパネルが特定の１つだけであって、これ以外のウィンドウパネルの情報は注目の対象とならない場合には、各別問題はないが、表示する情報によっては、あるウィンドウパネルの情報に注目するといっても、他のウィンドウパネルに表示される情報との対比のもとにあるウィンドウパネルの情報に注目して見るという場合もある。
【００１０】
例えば、上記特許文献１に記載の技術のように、成分分析装置の複数の分析結果を別々のウィンドウに表示する場合、オペレータは２以上の分析結果に注目し、これらを同時に注目して解析処理を行なうことが必要な場合もある。このような場合には、一方のウィンドウに注目してこれをクリックすると、このクリックされたウィンドウは拡大するものの、これによって他の必要な分析結果が表示されたウィンドウの一部が隠されてしまい、この分席結果を正しく解析できなくなるという問題がある。勿論、他方のウィンドウをクリックすると、このウィンドウが拡大され、そこに表示される分析結果が全体として見えるようになるが、結局のところ、２以上の分析結果を注目する分析結果とする場合には、夫々のウィンドウ毎にクリックする操作が必要となり、手間のかかる操作が必要となる。
【００１１】
本発明の目的は、かかる問題を解消し、手間の掛かる操作をなくして、同時に画面表示される複数のウィンドウのいずれを拡大表示しても、全てのウィンドウが全体として表示されるようにした画像表示方法を提供することにある。
【課題を解決するための手段】
【００１２】
上記目的を達成するために、本発明は、同一表示画面の所定のウィンドウ表示エリア上に複数の異なる画像を互いに異なるウィンドウで同時に表示するウィンドウ表示方法であって、少なくとも、複数のタイルウィンドウを、重なり合うことなく、ウィンドウ表示エリアに表示し、タイルウィンドウのいずれか１つを選択することにより、選択されたタイルウィンドウを拡大表示し、選択されない他のタイルウィンドウを縮小し、拡大表示されるタイルウィンドウを含む他のウィンドウと重なり合うことなく、ウィンドウ表示エリアに表示するものである。
【００１３】
また、本発明は、タイルウィンドウに表示される画像が分析装置本体での試料の成分分析処理による分析結果を表わす画像データの画像であって、表示画面のウィンドウ表示エリア外に、分析装置本体で他の試料の成分分析処理をコントロールするためのコントロールウィンドウを表示したものである。
【００１４】
そして、本発明は、タイルウィンドウに表示する画像が画像データ全体を表わすものであって、画像データ全体の画像を表示したタイルウィンドウが選択されて拡大表示されるとともに、画像も拡大表示されるものである。
【００１５】
また、本発明は、タイルウィンドウに表示する画像が画像データの一部を表わすものであって、画像データの一部の画像を表示したタイルウィンドウが選択されて拡大表示されるとともに、画像の表示範囲が拡大表示されるものである。
【００１６】
また、本発明は、ウィンドウ表示エリア上にタイルウィンドウ上に重ねて１以上の通常ウィンドウを表示し、通常ウィンドウは選択によって拡大表示されるものである。
【００１７】
そして、本発明は、通常ウィンドウに表示する画像が画像データ全体を表わすものであって、画像データ全体の画像を表示した通常ウィンドウが選択されて拡大表示されるとともに、画像も拡大表示されるものである。
【００１８】
また、本発明は、通常ウィンドウに表示する画像が画像データの一部が表わすものであって、画像データの一部の画像を表示した通常ウィンドウが選択されて拡大表示されるとともに、画像の表示範囲が拡大表示されるものである。
【００１９】
また、本発明は、タイルウィンドウのいずれか１つが選択されて拡大表示されるとき、通常ウィンドウの全てを縮小し、縮小表示されるタイルウィンドウに重ねて表示するものである。
【００２０】
また、本発明は、通常ウィンドウのいずれか１つを選択することにより、ウィンドウ表示エリア内で選択された通常ウィンドウを拡大表示し、選択されない他の通常ウィンドウを縮小し、ウィンドウ表示エリア内での拡大表示される通常ウィンドウの表示エリア外にタイルウィンドウに重ねて表示するものである。
【００２１】
また、本発明は、タイルウィンドウのいずれか１つが選択されて拡大表示されるとき、通常ウィンドウの全てを縮小し、ウィンドウ表示エリア内でタイルウィンドウと通常ウィンドウとのいずれとも重なり合うことなく、表示するものである。
【００２２】
また、本発明は、通常ウィンドウのいずれか１つを選択することにより、ウィンドウ表示エリア内で選択された通常ウィンドウを拡大表示し、選択されない通常ウィンドウとタイルウィンドウとの全てを縮小し、ウィンドウ表示エリア内でタイルウィンドウと通常ウィンドウとのいずれとも重なり合うことなく、表示するものである。
【発明の効果】
【００２３】
本発明によると、タイルウィンドウのいずれか１つが拡大表示されると、その分他のタイルウィンドウが縮小表示されるので、全てのタイルウィンドウの全領域が常に表示されることになり、夫々のタイルウィンドウで常に全画像データが表示されている状態となっている。
【発明を実施するための最良の形態】
【００２４】
以下、本発明の実施形態を図面により説明する。
【００２５】
図１は本発明による画像表示方法で画像表示を行なう画像表示システムの一実施形態を示すブロック構成図であって、１は操作端末、２は入出力制御部、３はハードディスク、４はＲＡＭ（ランダム・アクセス・メモリ）、５は中央処理装置、６は通信機器、７はディスプレイ、８はキーボード、９はマウス、１０は分析装置本体、１１は制御部、１２は溶媒供給部、１３は試料注入部、１４は分離部、１５は検出部、１６は通信処理部である。
【００２６】
同図において、操作端末１は、例えば、パソコンであって、その通信機器６と分析装置本体１０の通信処理部１６とにより、分析装置本体１０と通信可能に接続されている。ここで、分析装置本体１０は、例えば、液体クロマトグラフ分析装置とするが、この操作端末１には、かかる液体クロマトグラフ分析装置の分析装置本体１０以外の成分分析装置、例えば、分光光度計などの分光分析装置も通信可能に接続されている。
【００２７】
この分析装置本体１０では、制御部１１の制御によって試料の分析処理動作を行なう。即ち、先の特許文献１に記載のように、溶媒供給部１２から溶離液が圧力を加えられて供給され、試料注入部１３から注入された試料がこの溶離液に混合される。試料が混合された溶離液は分離部（カラム）１４に通されて試料の各成分が分離され、検出部１５で各成分が検出されて分析結果が得られる。この分析結果の情報が、通信処理部１６で処理されて操作端末１に送信される。他の成分分析装置からの分析結果の情報も、同様にして、操作端末１に送信される。
【００２８】
送信端末１では、入出力制御部２の制御のもとに、分析装置本体１０や他の成分分析装置から送信された分析結果の情報が通信機器６で受信され、ハードディスク３に蓄積される。操作手段としてのキーボード８やマウス９による表示操作があると、ハードディスク３に蓄積された分析結果の情報が読み出され、中央処理部５に供給される。中央処理部５では、ＲＡＭ４を用いて、この分析結果の情報が処理され、異なる分析結果の情報毎にそれら分析結果の情報を表示するタイルウィンドウが作成され、ディスプレイ７に供給される。これにより、ディスプレイ７の表示画面には、夫々の分析結果の情報号が別々のタイルウィンドウに表示される。キーボード８やマウス９の操作により、後述するように、タイルウィンドウの大きさを変化させるなどの表示形態の更新を行なうことができるが、キーボード８やマウス９の操作によるかかる表示形態の更新指示毎に、入出力制御部２はハードウェア３から分析結果の情報を読み出して中央処理部５で処理させ、この指示に応じた表示形態でタイルウィンドウなどを表示させる。
【００２９】
ここで、図１におけるシステムの処理手順について説明する。図２は、分析装置本体１０を液体クロマトグラフ装置としたときの、かかるシステムの動作手順の一具体例を示すフローチャートである。
【００３０】
図２において、ステップ１０１〜１０４は分析処理の対象となる未知試料（食品など）の成分分析の前処理に１つの標準検体を分析処理する第１のブロックであり、ステップ１０５〜１０９は分析処理の対象となる未知試料の成分分析の前処理に複数の標準検体を分析処理する第２のブロックである。これら第１，第２のブロックが未知試料の成分分析のための前処理を行なうためのものである。ステップ１１０〜１１１が未知試料の成分分析する第３のブロックであり、ステップ１１２〜１１３が分析結果を解析する第４のブロックである。
【００３１】
操作端末１と分析装置本体１０の電源を投入して、システムを起動すると（ステップ１００）、ディスプレイ７に測定条件の入力のための画面が表示され、この画面でキーボード８やマウス９を操作することにより、未知試料の成分分析の前処理を１つの標準検体で行なう場合の測定条件を入力すると（ステップ１０１：メソッド作成・保存）、入力された測定条件が、通信機器６と通信処理装置部１６とにより、分析装置本体１０に送信（ダウンロード）される。これにより、分析装置本体１０において、制御部１１により、測定条件が設定される（ステップ１０２：メソッドダウンロード）。
【００３２】
そして、分析装置本体１０により、未知試料に対する１つの標準検体について、成分の分析処理が設定された測定条件で、上記のようにして、行なわれ（ステップ１０３：シングルラン）、その分析結果が、通信機器６と通信処理装置部１６とにより、操作端末１に送信される。操作端末１では、通信機器６で受信された分析結果が一旦ハードディスク３に格納され、これが読み出され、中央処理部５で処理されてこの分析結果の表示画像を表わすウィンドウが作成され、これがディスプレイ７に供給されて表示される。オペレータはウィンドウで表わされる分析結果を観察しながら、キーボード８やマウス９を操作して、画像の調整を行なう。この調整は、設定した測定条件に対して分析結果が好ましい状態で表示されるように、行なわれるものである。ここで、設定された測定条件で測定された標準検体の分析結果では、当然現われるピーク（時間や周波数に対する分析強度のピーク）が存在するが、これが明確に表示されない場合や好ましくないレベルで表示されるときに、このピークが好ましいレベルで表示されるように、操作端末１を調整する（以上、ステップ１０４：波形処理）。
【００３３】
そして、ピークと成分との対応を示すピークテーブルを作成する（ステップ１０５：ピークテーブル作成）。
【００３４】
以上の処理により、１つの未知試料の分析処理に対する第１のブロックによる前処理（準備段階）が終了し、これにより、分析装置本体１０が１つの未知試料の分析処理を良好に行なうことができる状態に設定されたことになり、次に、第３のブロックのステップ１１０に進んで１つの未知試料の成分分析処理を行なうことができる。
【００３５】
以上の処理により、１つの標準検体を測定する第１のブロックの処理が終了し、１つの未知試料を分析する場合には、これによって前処理（準備段階）が終了して、次に、第３のブロックのステップ１１０に進むことになる。
【００３６】
未知試料の分析に対し、複数の標準検体を用いて前処理を行なう場合には、第１のブロックの処理に続いて、あるいは直接複数の標準検体を分析処理する第２のブロックの処理が行なわれる。
【００３７】
即ち、未知試料を分析処理の前処理に分数の標準検体が用いられる場合には、キーボード８やマウス９を操作することにより、ディスプレイ７の表示画面上で複数の標準検体毎に測定条件が入力され、また、分析装置本体１０が複数の標準検体に対して実行する処理の手順（シーケンス）を作成する（ステップ１０６：シーケンス作成・保存）。これら表示検体毎の測定条件や処理手順の情報は、ハードディスク３に保存されるとともに、通信機器６と通信処理装置部１６とにより、分析装置本体１０に送信される。
【００３８】
そして、分析装置本体１０では、これら標準検体に対し、設定された測定条件と処理手順に従って、上記のようにして、分析処理が行なわれ（ステップ１０７：シーケンスラン）、その分析結果が、通信機器６と通信処理装置部１６とにより、操作端末１に送信される。操作端末１では、通信機器６で受信された分析結果が一旦ハードディスク３に格納され、これが読み出され、中央処理部５で処理されてこの分析結果の表示画像を表わすウィンドウが作成され、これがディスプレイ７に供給されて表示される。オペレータはウィンドウで表わされる分析結果を観察しながら、キーボード８やマウス９を操作して、画像の調整を行なう。この調整も、ステップ１０４での調整と同様、設定した測定条件に対して分析結果が好ましい状態で表示されるように、行なわれるものである。これにより、設定された測定条件で測定された標準検体の分析結果では、当然現われるピーク（時間や周波数に対する分析強度のピーク）が存在するが、これが明確に表示されない場合や好ましくないレベルで表示されるときに、このピークが好ましいレベルで表示されるように、操作端末１を調整する（以上、ステップ１０８：波形処理）。
【００３９】
しかる後、分析された成分毎に、その濃度の強度との関係を検量線が作成される（ステップ１０９：検量線作成）。
【００４０】
以上の処理により、複数の未知試料の分析処理に対する第２のブロックによる前処理（準備段階）が終了し、これにより、分析装置本体１０が複数の未知試料の分析処理を良好に行なうことができる状態に設定されたことになり、次に、第３のブロックのステップ１１０に進んで複数の未知試料の成分分析処理を行なうことができる。
【００４１】
第３のブロックで未知試料の成分分析する場合、既に測定条件がステップ１０１〜１０２（１つの未知試料を成分分析する場合）やステップ１０６（複数の未知試料を成分分析する場合）で設定されており、１つの未知試料を成分分析する場合には、直ちに分析装置本体１０で分析処理が行なわれて（ステップ１１１）、その分析結果が、上記のようにして、操作端末１に送信されてハードディスク３に蓄積され、これから読み出されて中央処理部５で処理されてディスプレイ７の表示画面にウィンドウで表示される。この場合も、この表示される分析結果が好ましい状態で表示されるように、キーボード８やマウス９の操作によって調整することができる（ステップ１１２）。
【００４２】
複数の未知試料を成分分析する場合には、操作端末１で、ステップ１０６のように、これら未知試料に関して処理手順（シーケンス）を作成して保存し（ステップ１１０：シーケンス作成・保存）、これを分析装置本体１０に設定し、設定された測定条件と処理手順に従ってこれら未知試料の成分分析処理が行なわれる（ステップ１１１：シーケンスラン）。そして、その分析結果は操作端末１に送信され、ハードディスク３に保存されるとともに、これから読み出されて中央処理部５で処理され、分析処理のウィンドウが作成されてディスプレイ７の表示画面に表示される。この場合も、この表示される分析結果が好ましい状態で表示されるように、キーボード８やマウス９の操作によって調整することができる（ステップ１１２：波形処理）。
【００４３】
このように表示されて調整された分析結果は、第４のブロックにおいて、印刷されてレポートが作成され（ステップ１１３：レポート印刷・作成）、一連の分析処理が終了する（ステップ１１４）。
【００４４】
以上のようにして、分析装置本体１０で標準検体や未知試料の成分分析の処理が行なわれ、その分析結果が操作端末１のディスプレイ７で表示される（ステップ１０４，１０８，１１２）。
【００４５】
以下では、かかる分析結果を表示対象として、操作端末１に適用した本発明による画像表示方法の一実施形態について説明する。
【００４６】
図３はかかる実施形態の処理の流れを示すフローチャートであり、まず、図３により、この実施形態の概要を説明する。
【００４７】
先に説明したように、操作端末１において、ハードディスク３に記憶された分析結果をディスプレイ７の表示画面で表示する操作がキーボード８やマウス９で行なわれると、ハードディスク３に記憶された分析結果が読み出され、中央処理部５で処理されて分析結果から得られる複数の画像夫々に対してウィンドウが作成され、これらがディスプレイ７に供給されてその表示画面に複数のウィンドウが表示される（図３のステップ２００）。このときには、この表示画面に表示されるポインタの位置に応じた表示動作が行なわれる。
【００４８】
即ち、かかるウィンドウは表示画面での後述する特定の表示エリアに表示されるが、ポインタが、ウィンドウが表示されるこの特定の表示エリア外にあるときには（図３のステップ２０１の“Ｎ”）、この特定のエリアでの表示状態はそのまま維持され、このポインタがこの特定の表示エリア内にあるときには（図３のステップ２０１の“Ｙ”）、このポインタの位置がタイルウィンドウ内にあるか否か判定される（図３のステップ２０２）。
【００４９】
ここで、上記特定のエリアに表示されるウィンドウとしては、タイルウィンドウと通常ウィンドウとの２種類がある。タイルウィンドウは、例えば、後述する図３に示すウィンドウ３２〜３５のように、タイル張りしたように、互いに重なることなしに所定の間隔をもって表示されるウィンドウであり、通常ウィンドウは、タイルウィンドウ以外のウィンドウであって、例えば、後述する図５に示すウィンドウ４４〜４６のように、タイルウィンドウに重なって表示され、かつ互いに重なって表示されるウィンドウである。この実施形態は、かかるタイルウィンドウや通常ウィンドウを拡大し、そこに表示されるパターン（画像）を拡大表示できるようにするものである。
【００５０】
ここで、分析装置１０（図１）の分析結果をディスプレイ７で表示する場合には、かかる分析結果を表わす画像がタイルウィンドウで表示され、また、図２でのメソッド作成・保存（ステップ１０１）やピークテーブル作成（ステップ１０５），シーケンス作成・保存（ステップ１０６，１１０），レポート印刷・作成（ステップ１１３）などの成分分析の作業のための画像は通常ウィンドウに表示される。
【００５１】
ポインタがタイルウィンドウ上にあって、このタイルウィンドウがフォーカスされ（図３のステップ２０２の“Ｙ”）、かつこのタイルウィンドウに表示される拡大するパターン（即ち、タイルウィンドウ内にあって、拡大表示しようとするパターン）Ａがこのタイルウィンドウに全て表示されているものであるときには（図３のステップ２０３の“Ｙ”）、このフォーカスされたタイルウィンドウが拡大表示されるとともに、その中に表示される拡大するパターンＡも、拡大表示されて拡大パターンＡとなる。
【００５２】
これに対し、フォーカスされたタイルウィンドウに表示される拡大するパターンＡが、例えば、リストのようなパターン（画像）であって、その全部を表示しきれず、その一部のみこのタイルウィンドウに表示されているものであるときには（図３のステップ２０３の“Ｎ”）、このタイルウィンドウが拡大され、これとともに、この拡大したタイルウィンドウでは、拡大するパターンＡの表示範囲が広がった拡大パターンＣが表示されることになる。
【００５３】
なお、以上のように、タイルウィンドウが拡大表示されると、他のタイルウィンドウや、通常ウィンドウも表示されていれば、かかる通常ウィンドウも、縮小表示される。
【００５４】
表示画面に通常ウィンドウもタイルウィンドウに重なって表示されていて、ポインタがいずれかの通常ウィンドウ上にあり、この通常ウィンドウがフォーカスされ（図３のステップ２０２の“Ｎ”）、この通常ウィンドウ内に表示される拡大するパターンＢが全てこの通常ウィンドウ内に表示されているものであるときには（図３のステップ２０４の“Ｙ”）、この通常ウィンドウが拡大表示されるとともに、そこに表示される拡大するパターンＢも、拡大パターンＢとして拡大表示されることになる。
【００５５】
これに対し、フォーカスされた通常ウィンドウに表示される拡大するパターンＢが、例えば、リストのようなパターン（画像）であって、その全範囲が表示しきれず、その一部のみこの通常ウィンドウに表示されているものであるときには（図３のステップ２０４の“Ｎ”）、この通常ウィンドウが拡大され、これとともに、この拡大した通常ウィンドウでは、拡大するパターンＢの表示範囲が広がった拡大パターンＤが表示されることになる。
【００５６】
なお、以上のように、通常ウィンドウが拡大表示されると、タイルウィンドウや、他の通常ウィンドウも表示されていれば、かかる通常ウィンドウも、縮小表示される。
【００５７】
次に、図３に示す実施形態における操作端末１のディスプレイ７での画像の表示形態の具体例について説明する。
【００５８】
図４は本発明による画像表示方法の実施形態による表示形態の第１の具体例を示す図であって、３０は表示画面、３１はウィンドウ表示エリア、３２は等高線タイルウィンドウ、３３はスペクトルタイルウィンドウ、３４はクロマトグラムタイルウィンドウ、３５は三次元表示タイルウィンドウ、３６はコントロールウィンドウ、３６ａは進行状況表示部、３６ｂはスタートボタン、３６ｃはストップボタン、３６ｄは装置条件部、３６ｅはステータス部３６ｅ、３７はフローウィンドウ、３８はポインタである。
【００５９】
この第１の具体例は、図３でのステップ２０１の“Ｙ”→ステップ２０２の“Ｙ”→ステップ２０３の“Ｙ”の処理の流れによるものであり、拡大するパターンＡは三次元表示タイルウィンドウ３５内の画像（分析結果）である。タイルウィンドウ内に表示される分析結果は、その全体がそのタイルウィンドウ内に表示されているものとする。
【００６０】
図４（ａ）において、ディスプレイ７（図１）の表示画面３０では、その表示エリアの大きな部分を占めるウィンドウ表示エリア３１が設定されており、その右側に縦長のコントロールウィンドウ３６が、その上側に横長のフローウィンドウ３７が夫々設定されている。
【００６１】
ウィンドウ表示エリア３１では、矩形状で等しい大きさの、例えば、４個のタイルウィンドウ３２〜３５が、互いに重なることなく、接近して（即ち、タイルが張り付けられたような形態で）設定表示される。
【００６２】
これらタイルウィンドウ３２〜３５には、分析装置本体１０（図１）や他の成分分析装置の分析結果などが表示されるものであって、これらタイルウィンドウ３２〜３５のうちの、例えば、右下に設定される三次元表示タイルウィンドウ３５は、この分析結果が時間軸と波長軸と強度軸とを空間軸とする三次元表示したものである。ここで、強度軸は分析装置本体１０で検出される成分の強度を表わすものであり、時間軸は分析装置本体１０での分離部１４のカラムを試料の成分が通過するまでの時間を表わすものであり、波長軸は試料から分離された成分が吸収する光の波長を表わすものである。タイルウィンドウ３２〜３５のうちの、例えば、左上に設定される等高線タイルウィンドウ３２は、三次元表示タイルウィンドウ３５での分析結果を強度軸に沿って見たものであって、横軸を時間軸とし、縦軸を周波数軸とし、分析結果の１つである強度を等高線で表わしたものである。タイルウィンドウ３２〜３５のうちの、例えば、右上に設定されるスペクトルタイルウィンドウ３３は、三次元表示タイルウィンドウ３５での分析結果を波長軸に沿って見たものであって、横軸を波長軸とし、縦軸を強度軸とし、指定した時間での波長による強度の変化を表わしたものである。タイルウィンドウ３２〜３５のうちの、例えば、左下に設定されるクロマトグラムタイルウィンドウ３４は、三次元表示タイルウィンドウ３５での分析結果を時間軸に沿って見たものであって、横軸を時間軸とし、縦軸を強度軸とし、指定した波長での強度の時間的変化を表わしたものである。
【００６３】
なお、クロマトグラムタイルウィンドウ３４に表示される分析結果は、液体クロマトグラフ分析装置の分析装置本体１０の分析結果であり、スペクトルタイルウィンドウ３３に表示される分析結果は、分光光度計の分析結果である。三次元表示タイルウィンドウ３５と等高線タイルウィンドウ３２に表示される分析結果は、分析装置本体１０の分析結果と分光光度計の分析結果とを操作端末１の中央処理部５で処理して得られたものである。
【００６４】
このように、ウィンドウ表示エリア３１では、分析装置本体１０による分析結果が、異なるタイルウィンドウにより、異なる形態で同時に表示されるものであり、これにより、オペレータは分析結果を異なる見方で同時に観測できて、分析結果の解析が容易となる。
【００６５】
コントロールウィンドウ３６は、ウィンドウ表示エリア３１に表示されている分析結果が得られた未知試料とは別の未知試料の分析処理をコントロールするためのパネルとして機能するものであって、未知試料を分析処理して得られた分析結果をウィンドウ表示エリア３１に表示しながら、他の未知試料の分析処理を行なうことができるようにしている。例えば、図２で説明したように、複数の未知試料の分析処理を行なう場合、１つの未知試料の分析処理を終了してその分析結果をウィンドウ表示エリア３１に表示するとともに、この分析結果の解析処理の終了を待つことなく、次の未知試料の分析処理を、コントローラウィンドウ３６でのコントロールにより、行なうことができる。
【００６６】
このコントロールウィンドウ３６には、分析装置本体１０での未知試料の分析処理の進行状況を表す進行状況表示部３６ａや分析装置本体１０の処理動作を開始させるスタートボタン３６ｂ，この処理動作を停止させるストップボタン３６ｃ，分析装置本体１０の測定条件の設定，表示が行なわれる装置条件部３６ｄ，分析装置本体１０のステータス（分析状況や溶量液を加圧するポンプの状況など）を表わすステータス部３６ｅなどが設けられている。
【００６７】
また、フローウィンドウ３７は、コントロールウィンドウ３６でコントロールされる分析処理での図２で説明したような処理手順（シーケンス）を表わすものであって、どの処理段階にあるのかも表示される。
【００６８】
表示画面３０には、キーボード８やマウス９によって操作できるポインタ３８が表示されており、このポインタ３８に移動操作やクリック操作により、コントロールウィンドウ３６で分析装置本体１０での分析処理のコントロール操作を行なうことができる。
【００６９】
また、ポインタ３８をウィンドウ表示エリア３１でのいずれかのタイルウィンドウに当て、クリックすると（これを、以下、フォーカスするという）、フォーカスされたタイルウィンドウが拡大表示される。
【００７０】
いま、図４（ａ）で図示するように、ポインタ３８で三次元表示ウィンドウ３５をフォーカスすると（このフォーカスされた三次元表示ウィンドウ３５が、図３のステップ２０２の“Ｙ”での拡大するパターンＡに相当する）、図４（ｂ）に示すように、三次元表示ウィンドウ３５が、例えば、縦，横１．５倍に拡大表示され、この三次元表示ウィンドウ３５で表示される三次元表示の分析結果が同様に拡大表示されて詳細に観察することができる（この拡大表示された三次元表示ウィンドウ３５が、図３のステップ２０３の“Ｙ”での拡大パターンＡに相当する）。なお、図４（ｂ）では、座標軸の表示を省略している。図４以降についても同様である。
【００７１】
また、この三次元表示タイルウィンドウ３５の拡大表示に伴い、他のダイルウィンドウ、即ち、等高線ウィンドウ３２，スペクトルウィンドウ３３及びクロマトグラムウィンドウ３４が夫々、他のタイルウィンドウと重ならないように（即ち、基の間隔を保って）、かつウィンドウ表示エリア３１からはみ出さないように、縮小される。このため、三次元表示タイルウィンドウ３５に対して左上方向に設定されている等高線ウィンドウ３２は元の縦，横比を保って縦，横に縮小された状態となり、三次元表示タイルウィンドウ３５に対して上方向に設定されているスペクトルウィンドウ３３は縦方向に縮小されて横長のウィンドウとなり、三次元表示タイルウィンドウ３５に対して左横方向に設定されているクロマトグラムウィンドウ３４は横方向に縮小されて縦長のウィンドウとなる。このように縮小表示されたタイルウィンドウ３２〜３４では、分析結果が同じ縮小率で縮小表示されることになる。
【００７２】
三次元表示タイルウィンドウ３５以外のタイルウィンドウを拡大表示しても、他のタイルウィンドウが、同様にして、縮小表示される。
【００７３】
このようにして、タイルウィンドウ３２〜３５のうちの１つが拡大表示されると、これ以外のタイルウィンドウが縮小表示されるが、これら縮小表示されたタイルウィンドウでは、依然として分析結果が全体として表示されていることになり、分析結果の一部が他のタイルウィンドウによって隠されてしまうといったことは生じない。このため、オペレータは、分析結果の表示形態のうちの注目する１つの分析結果の表示形態を拡大表示しても、これと同時に、他の表示態様も全体として観察することができ、いちいちタイルウィンドウをフォーカス操作するといった手間のかかる操作を省いて、常に分析結果の全ての表示態様を全体として観察することが可能となるし、常に分析結果が同様な表示形態で表示されているのかも、一目でわかることになる。
【００７４】
なお、図４（ｂ）に示すように、拡大表示されている三次元表示ウィンドウ３５にポインタ３８が当てられている状態でクリック操作が行なわれると、三次元表示ウィンドウ３５が元の大きさの表示状態となり、図４（ａ）に示す表示状態となる。
【００７５】
また、図４（ｂ）に示すように、拡大表示されている三次元表示ウィンドウ３５にポインタ３８が当てられている状態で、このポインタ３８を他のタイルウィンドウに移動させ、これをクリックしてフォーカスすると、このフォーカスされたタイルウィンドウが拡大表示され、これまで拡大表示されていた三次元表示ウィンドウ３５を含む他のタイルウィンドウが、図４（ｂ）で説明したように、縮小表示される。
【００７６】
図５は本発明による画像表示方法の実施形態による表示形態の第２の具体例を示す図であって、３９はリスト表示タイルウィンドウ、４０はリスト、４１Ｘ，４１Ｙはスクロールバー、４２は「保存」ボタン、４３は「適用」ボタンであり、図４に対応する部分には同一符号をつけて重複する説明を省略するが、図面が煩雑になるため、図４で用いた符号については、主要な符号のみを付している。
【００７７】
この第２の具体例は、図３でのステップ２０１の“Ｙ”→ステップ２０２の“Ｙ”→ステップ２０３の“Ｎ”の処理の流れによるものであり、拡大するパターンＡはリスト表示タイルウィンドウ３９内の画像（リスト）である。この場合、このリストは、その全範囲がリスト表示タイルウィンドウ３９内で表示しきれず、その一部のみが表示されているものとする。
【００７８】
図５（ａ）において、この表示形態では、図４に示す表示形態において、分析結果の三次元表示タイルウィンドウ３５の代わりに、タイルウィンドウとしてのリスト表示タイルウィンドウ３９が表示されるものである。かかるリスト表示タイルウィンドウ３９は、例えば、図４に示す表示状態において、三次元表示タイルウィンドウ３５上にポインタ３８を当て、キーボード８もしくはマウス９（図１）を所定操作することにより、三次元表示タイルウィンドウ３５に代えて表示されたものである。
【００７９】
このリスト表示タイルウィンドウ３９には、リスト４０が表示されるが、ここでは、このリスト４０を、一例として、複数の未知試料に対する処理シーケンスを作成するためのシーケンス編集リストとしている。この場合には、例えば、図４（ａ）に示す表示状態で、図２のステップ１０６，１１０でシーケンスを作成する場合、キーボード８やマウス９（図１）でリスト要求操作をすると、三次元表示タイルウィンドウ３５の代わりにこのリスト表示タイルウィンドウ３９が表示されるものであり、そこでのシーケンス編集リスト４０でシーケンス作成作業を行なうことができる。
【００８０】
このリスト表示タイルウィンドウ３９も、他のタイルウィンドウ３２〜３４と同じ形状で同じ大きさであり、表示するリスト４０が大きい場合には、その全体をリスト表示タイルウィンドウ３９で表示しきれず、その一部のみが表示される。
【００８１】
そこで、その一部のみしか表示しきれないリスト４０がリスト表示タイルウィンドウ３９では、その右辺に沿って縦方向のスクロールバー４１Ｙが表示され、ポインタ３８を用いてこのスクロールバー４１Ｙを操作することにより、リスト３９を縦方向にスクロールさせることができる。また、このリスト表示タイルウィンドウ３９の下辺に沿って横方向のスクロールバー４１Ｘが表示されており、ポインタ３８を用いてこのスクロールバー４１Ｘを操作することにより、リスト３９を横方向にスクロールさせることができる。これにより、リスト４０は、リスト表示タイルウィンドウ３９内において、表示されていなかった部分も表示されるようになる。
【００８２】
このリスト表示タイルウィンドウ３９をポインタ３８でフォーカスすると（このフォーカスされたリスト表示タイルウィンドウ３９が、図３のステップ２０２の“Ｙ”での拡大するパターンＡに相当する）、図４での三次元表示タイルウィンドウ３５の場合と同様、図５（ｂ）に示すように、このリスト表示タイルウィンドウ３９が拡大表示され（この拡大表示されたリスト表示タイルウィンドウ３９が、図３のステップ２０３の“Ｎ”での拡大パターンＣに相当する）、これに伴って、図４の表示形態の場合と同様、他のタイルウィンドウ３２〜３４の表示が縮小表示に切り替わる。
【００８３】
ここで、拡大表示されたリスト表示タイルウィンドウ３９のリスト４０では、その文字や各欄の枠などの大きさは変化せず、リスト表示タイルウィンドウ３９が拡大表示された分、そこに表示されるリスト４０の表示範囲が拡大する。即ち、リスト表示タイルウィンドウ３９が拡大表示されると、リスト４０の表示範囲が拡大する。このため、図５（ａ）に示す表示状態では表示されていなかった部分も、表示されるようになり、オペレータはリスト４０のより広い範囲を観察することができる。
【００８４】
なお、このように、リスト表示タイルウィンドウ３９が拡大表示されても、リスト４０がその一部しか表示されない場合には、リスト表示タイルウィンドウ３９の右辺に沿って縦方向のスクロールバー４１Ｙが、また、リスト表示タイルウィンドウ３９の下辺に沿って横方向のスクロールバー４１Ｘが夫々表示され、リスト４０をスクロールさせることができる。
【００８５】
図５（ａ）に示す表示状態でリスト表示タイルウィンドウ３９内にリスト４０の全体が表示される場合には、スクロールバー４１Ｙ，４１Ｘは表示されない。この場合、リスト表示タイルウィンドウ３９を、図５（ｂ）に示すように、拡大表示させた場合にも、勿論スクロールバー４１Ｙ，４１Ｘは表示されない。なお、このように、リスト表示タイルウィンドウ３９内にリスト４０の全体が表示される場合には、リスト表示タイルウィンドウ３９を拡大表示できないようにすることもできる。
【００８６】
また、図５（ａ）において、リスト表示タイルウィンドウ３９以外のタイルウィンドウ３２〜３４のいずれかをフォーカスすることによって拡大表示させると、リスト表示タイルウィンドウ３９は縮小表示されるようになるが、この場合も、このリスト表示タイルウィンドウ３９内のリスト４０では、その文字や各欄の枠などの大きさは変化せず、リスト４０のリスト表示タイルウィンドウ３９で表示される範囲が狭くなる。
【００８７】
このようにして、リストもタイルウィンドウとして表示することができ、このタイルウィンドウを拡大表示させることにより、リストの表示される範囲を拡大することができる。
【００８８】
また、リスト表示タイルウィンドウ３９に表示されるリスト４０がシーケンス編集リストなどの処理用のリストである場合、このリスト表示タイルウィンドウ３９には、「保存」ボタン４２と「適用」ボタン４３が表示される。リスト４０がシーケンス編集リストである場合には、図２のステップ１０６，１１０において、このシーケンス編集リスト４０を用いて複数の未知試料に対する処理シーケンスを作成をすることができるが、「保存」ボタン４２をポインタ３８でクリック操作することにより、このシーケンス編集リスト４０はハードディスク３に保存され、また、「適用」ボタン４３をクリックすることにより、このシーケンス編集リスト４０の情報が分析装置本体１０（図１）にダウンロードされる。
【００８９】
なお、図５では、リスト表示タイルウィンドウ３９が表示される場合を示したが、例えば、図２のステップ１１３でレポート作成を行なう場合、キーボード８やマウス９（図１）によってレポート作成要求操作を行なうと、例えば、三次元表示タイルウィンドウ３５の代わりにレポートタイルウィンドウ（図示せず）が表示される。
【００９０】
図６は本発明による画像表示方法の実施形態による表示形態の第３の具体例を示す図であって、４４はレポート通常ウィンドウ、４５はシーケンス編集リスト通常ウィンドウ、４６はスケール変更通常ウィンドウであり、図４に対応する部分には同一符号をつけて重複する説明を省略するが、図面が煩雑になるため、図４で用いた符号については、主要な符号のみを付している。
【００９１】
この第３の具体例は、図３でのステップ２０１の“Ｙ”→ステップ２０２の“Ｎ”→ステップ２０４の“Ｙ”の処理の流れによるものであり、拡大するパターンＢは三次元表示タイルウィンドウ３５内の画像（分析結果）である。
【００９２】
図６（ａ）において、図４に示した表示形態と同様、ウィンドウ表示エリア３１にタイルウィンドウ３２〜３５がタイル状に表示されるが、この第２の実施形態では、さらに、ウィンドウ表示エリア３１において、タイルウィンドウ３２〜３５に重なって通常のウィンドウが表示されるものである。以下では、かかるウィンドウを、タイルウィンドウと明確に区別するために、通常ウィンドウということにする。タイルウィンドウは、分析装置本体１０（図１）で得られた分析結果を表示するウィンドウがタイルウィンドウとなるものであり、それ以外のウィンドウが通常ウィンドウとなる。
【００９３】
図６（ａ）では、ウィンドウ表示エリア３１において、タイルウィンドウ３２〜３５に重ねて、シーケンス作成のためのシーケンス編集リストを表示するシーケンス編集リスト通常ウィンドウ４５と、かかるリストのスケールを変更操作するためのスケール変更通常ウィンドウ４６と、分析結果の解析結果を表わすレポートを表示するレポート通常ウィンドウ４４とが表示されているものとする。その重なりの順序は、パソコンなどと同様の操作でもって変更することができるし、かかる通常ウィンドウ４４〜４６のいずれかを消去したり、再表示したりすることもできる。
【００９４】
シーケンス編集リスト通常ウィンドウ４５では、図５におけるリスト表示タイルウィンドウ３９でのリスト（シーケンス編集リスト）４０と同様のリストが表示されているものとしているが、スケール変更通常ウィンドウ４６でのグラフスケール変更画面を操作することにより、このシーケンス編集リスト通常ウィンドウ４５でのリストの大きさ（即ち、文字や枠の大きさ）を変更することができる。但し、シーケンス編集リスト通常ウィンドウ４５の大きさは、この場合、変更できないので、リストのシーケンス編集リスト通常ウィンドウ４５での表示範囲の大きさが変更されるものである。即ち、リストの文字や枠の大きさを大きくすると、見易くなるとともに、リストの表示範囲が狭くなり、また、リストの文字や枠の大きさを小さくするすると、リストの表示範囲が広くなって同時に見える範囲が広がることになる。
【００９５】
なお、シーケンス編集リスト通常ウィンドウ４５では、図５におけるリスト表示ウィンドウ３９と同様、そこでのシーケンス編集リストをスクロールするためのスクロールバーや「保持」ボタン，「適用」ボタンが設けられている。
【００９６】
レポート通常ウィンドウ４５では、分析結果の解析の結果を用いてレポートを作成するためのものであり、タイルウィンドウ３２〜３５のいずれかの分析結果をこのレポート通常ウィンドウ４５にコピーすることにより、レポートが作成される。このコピー操作は、通常のウィンドウからウィンドウへのコピー操作と同様である。
【００９７】
図６（ａ）に示す表示状態で、ポインタ３８により、タイルウィンドウ３２〜３５のいずれか、例えば、三次元表示タイルウィンドウ３５をフォーカスすると（このフォーカスされた三次元表示タイルウィンドウ３５が、図３のステップ２０２の“Ｙ”での拡大するパターンＡに相当する）、図６（ｂ）に示すように、図４で説明した三次元表示タイルウィンドウ３５の場合と同様、この三次元表示タイルウィンドウ３５が拡大表示される（この拡大表示された三次元表示タイルウィンドウ３５が、図３のステップ２０３の“Ｙ”での拡大パターンＡに相当する）。これとともに、これも図４でのタイルウィンドウ３２〜３４の場合と同様、タイルウィンドウ３２〜３４が縮小されてウィンドウ表示エリア３１内の三次元表示タイルウィンドウ３５の外側に表示されるが、レポート通常ウィンドウ４４とシーケンス編集リスト通常ウィンドウ４５とスケール変更通常ウィンドウ４６との全ての通常ウィンドウも、ウィンドウ表示エリア３１内の三次元表示タイルウィンドウ３５の外側に縮小されて表示される。この場合、レポート通常ウィンドウ４４やシーケンス編集リスト通常ウィンドウ４５，スケール変更通常ウィンドウ４６は、縮小表示されたタイルウィンドウ３２〜３４のいずれかの一部または全部に重なって表示されることになる。この例では、シーケンス編集リスト通常ウィンドウ４５が縮小された等高線タイルウィンドウ３２に全体として重なって表示され、グラフスケール変更通常ウィンドウ４６が縮小されたスペクトルタイルウィンドウの左端部に重なって表示され、レポート通常ウィンドウ４４が縮小されたクロマトグラムタイルウィンドウ３４の上端部に重なって表示される。
【００９８】
このようにして、タイルウィンドウ３２〜３５に重なって通常ウィンドウ４４〜４６が表示されても、下側にあるタイルウィンドウを拡大表示させることができ、この場合、通常ウィンドウ４４〜４６は全て、縮小されてはいるが、隠されることなく、全体が表示されていることになる。従って、例えば、図２のステップ１１３でレポートを作成する場合、レポートに載せる分析結果を拡大表示することにより、これをレポート通常ウィンドウ４４にコピーすることが容易となる。
【００９９】
図７は本発明による画像表示方法の実施形態による表示形態の第４の具体例を示す図であって、４７は通常ウィンドウに対する余白エリアであり、図６に対応する部分には同一符号をつけて重複する説明を省略する。
【０１００】
この第４の具体例は、図３でのステップ２０１の“Ｙ”→ステップ２０２の“Ｎ”→ステップ２０４の“Ｎ”の処理の流れによるものであり、拡大するパターンＢはレポート通常ウィンドウ４４の画像（レポート）である。この画像は全体がレポート通常ウィンドウ４４内に表示されるものとする。
【０１０１】
図７（ａ）は、図６（ａ）に示す表示状態と同様である。かかる表示状態において、ポインタ３８で最も上側に配置されるレポート通常ウィンドウ４４をポインタ３８でフォーカスすると（このフォーカスされたレポート通常ウィンドウ４４が、図３のステップ２０４の“Ｎ”での拡大するパターンＢに相当する）、図７（ｂ）に示すように、このレポート通常ウィンドウ４４がタイルウィンド表示エリア３１内で拡大表示される（この拡大表示されたレポート通常ウィンドウ４４が、図３のステップ２０４の“Ｙ”での拡大パターンＢに相当する）。拡大されたときのこのレポート通常ウィンドウ４４の大きさは、図４（ｂ）や図６（ｂ）に示す拡大されたタイルウィンドウ３２〜３５と同等の大きさであり、かかるタイルウィンドウ３２〜３５が、上記のように、１．５倍拡大したものとすると（なお、ウィンドウ表示エリア３１の大きさは、タイルウィンドウ３２〜３５の２倍である）、拡大されたレポート通常ウィンドウ４４の大きさは、タイルウィンド表示エリア３１の大きさの２／３倍である。このとき、拡大されたこのレポート通常ウィンドウ４４は、その上辺がタイルウィンド表示エリア３１の上辺に近接して沿うように、また、その左辺がタイルウィンド表示エリア３１の左辺に近接して沿うように位置付けられる。
【０１０２】
このため、タイルウィンド表示エリア３１内で、レポート通常ウィンドウ４４の左側と下側とにレポート通常ウィンドウ４４が存在しないエリア（これを標準エリアに対する余白エリアという）４７が生ずるが、この通常ウィンドウに対する余白エリア４７に、他の通常ウィンドウ、即ち、シーケンス編集リスト通常ウィンドウ４５，スケール変更通常ウィンドウ４６が、互いに重なり合うことなく、縮小されて表示されることになる。勿論、これらシーケンス編集リスト通常ウィンドウ４５，スケール変更通常ウィンドウ４６は、タイルウィンドウ３２〜３５のいずれかに重なって表示される。
【０１０３】
このようにして、通常ウィンドウのいずれかが拡大表示される場合も、全ての通常ウィンドウ４４〜４６が互いに重なることなく表示されることになり、これらを、全体として、同時に見ることができる。
【０１０４】
図８は本発明による画像表示方法の実施形態による表示形態の第５の具体例を示す図であって、４８は余白エリアであり、図７に対応する部分には同一符号をつけて重複する説明を省略する。
【０１０５】
この第５の具体例は、図３でのステップ２０１の“Ｙ”→ステップ２０２の“Ｎ”→ステップ２０４の“Ｙ”の処理の流れによるものであり、拡大するパターンＢは三次元表示タイルウィンドウ３５内の画像（分析結果）である。
【０１０６】
図８（ａ）に示す表示状態は、通常ウィンドウの中でシーケンス編集リスト通常ウィンドウ４５が最も上側に表示されている以外、図６（ａ）に示す表示状態と同様である。
【０１０７】
かかる表示状態において、ポインタ３８でタイルウィンドウ３２〜３５の１つ、例えば、三次元表示タイルウィンドウ３５をフォーカスすると（このフォーカスされた三次元表示タイルウィンドウ３５が、図３のステップ２０２の“Ｙ”での拡大するパターンＡに相当する）、図８（ｂ）に示すように、図６（ｂ）の場合と同様、この三次元表示タイルウィンドウ３５が拡大表示され（この拡大表示された三次元表示タイルウィンドウ３５が、図３のステップ２０３の“Ｙ”での拡大パターンＡに相当する）、他のタイルウィンドウ３２〜３４や通常ウィンドウ４４〜４６が全て縮小表示されるが、この第３の実施形態では、縦方向で縮小されたスペクトルタイルウィンドウ３３がさらに横方向に縮小され、また、横方向に縮小されたクロマトグラムタイルウィンドウ３４がさらに縦方向に縮小される。この結果、ウィンドウ表示エリア３１内に、拡大された三次元表示タイルウィンドウ３５と縮小されたタイルウィンドウ３２〜３４が占めるエリアを除いた余白エリア４８が生じ、この余白エリア４８に縮小された全ての通常ウィンドウ４４〜４６が、重なり合うことなく、表示される。
【０１０８】
このようにして、この第３の実施形態では、タイルウィンドウ３２〜３５のいずれがか拡大表示されても、他の全てのウィンドウ（即ち、タイルウィンドウ，通常ウィンドウの全て）も、縮小されてはいるが、その全体が表示され、オペレータは全てのウィンドウの表示内容を全体として見ることができる。
【０１０９】
図９は本発明による画像表示方法の実施形態による表示形態の第６の具体例を示す図であって、４９ａ，４９ｂは余白エリアであり、図７に対応する部分には同一符号をつけて重複する説明を省略する。
【０１１０】
この第６の具体例は、図３でのステップ２０１の“Ｙ”→ステップ２０２の“Ｎ”→ステップ２０４の“Ｎ”の処理の流れによるものであり、拡大するパターンＢはシーケンス編集リスト通常ウィンドウ４５内の画像（リスト）である。このリストの画像は、その全範囲を表示しきれず、その一部がシーケンス編集リスト通常ウィンドウ４５内に表示されている。
【０１１１】
図９（ａ）に示す表示状態は、図８（ａ）に示す表示状態と同じである。
【０１１２】
かかる表示状態において、ポインタ３８で通常ウィンドウ４４〜４６の１つ、例えば、シーケンス編集リスト通常ウィンドウ４５をフォーカスすると（このフォーカスされたシーケンス編集リスト通常ウィンドウ４５が、図３のステップ２０２の“Ｎ”での拡大するパターンＢに相当する）、図９（ｂ）に示すように、図７（ｂ）でのレポート通常ウィンドウ４４の場合と同様、このシーケンス編集リスト通常ウィンドウ４５が拡大表示され（この拡大表示されたシーケンス編集リスト通常ウィンドウ４５が、図３のステップ２０４の“Ｎ”での拡大パターンＤに相当する）、タイルウィンドウ３２〜３５や他の通常ウィンドウ４４，４６が全て縮小表示されるが、この第３の実施形態では、図８（ｂ）の場合と同様、縦方向で縮小されたスペクトルタイルウィンドウ３３がさらに横方向に縮小され、また、横方向に縮小されたクロマトグラムタイルウィンドウ３４がさらに縦方向に縮小される。この結果、ウィンドウ表示エリア３１内に、拡大されたシーケンス編集リスト通常ウィンドウ４５と縮小されたタイルウィンドウ３２〜３５とが占めるエリアを除いた余白エリア４９ａ，４９ｂが生じ、これら余白エリア４９ａ，４９ｂに縮小されたレポート通常ウィンドウ４４，グラフスケール変更通常ウィンドウ４６が、重なり合うことなく、表示される。
【０１１３】
このようにして、この第３の実施形態では、通常ウィンドウ４４〜４６のいずれがか拡大表示されても、他の全てのウィンドウ（即ち、タイルウィンドウ，通常ウィンドウの全て）も、縮小されてはいるが、その全体が表示され、オペレータは全てのウィンドウの表示内容を全体として見ることができる。
【図面の簡単な説明】
【０１１４】
【図１】本発明による画像表示方法で画像表示を行なう画像表示システムの一実施形態を示すブロック構成図である。
【図２】図１に示すシステムの動作手順の一具体例を示すフローチャートである。
【図３】本発明による画像表示方法の一実施形態の処理の流れを示すフローチャートである。
【図４（ａ）】本発明による画像表示方法の実施形態による表示形態の第１の具体例を示す図である。
【図４（ｂ）】図４（ａ）に示す表示形態で三次元表示タイルウィンドウが拡大表示された状態を示す図である。
【図５（ａ）】本発明による画像表示方法の実施形態による表示形態の第２の具体例を示す図である。
【図５（ｂ）】図５（ａ）に示す表示形態でリスト表示タイルウィンドウが拡大表示された状態を示す図である。
【図６（ａ）】本発明による画像表示方法の実施形態による表示形態の第３の具体例を示す図である。
【図６（ｂ）】図６（ａ）に示す表示形態で三次元表示タイルウィンドウが拡大表示された状態を示す図である。
【図７（ａ）】本発明による画像表示方法の実施形態による表示形態の第４の具体例を示す図である。
【図７（ｂ）】図７（ａ）に示す表示形態でレポート通常ウィンドウが拡大表示された状態を示す図である。
【図８（ａ）】本発明による画像表示方法の実施形態による表示形態の第５の具体例を示す図である。
【図８（ｂ）】図８（ａ）に示す表示形態で三次元表示タイルウィンドウが拡大表示された状態を示す図である。
【図９（ａ）】本発明による画像表示方法の実施形態による表示形態の第６の具体例を示す図である。
【図９（ｂ）】図９（ａ）に示す表示形態でリスト表示タイルウィンドウが拡大表示された状態を示す図である。
【符号の説明】
【０１１５】
１  操作端末
２  入出力制御部
３  ハードディスク
４  ＲＡＭ（ランダム・アクセス・メモリ）
５  中央処理装置
６  通信機器
７  ディスプレイ
８  キーボード
９  マウス
１０  分析装置本体
１１  制御部
１２  溶媒供給部
１３  試料注入部
１４  分離部
１５  検出部
１６  通信処理部
３０  表示画面
３１  ウィンドウ表示エリア
３２  等高線タイルウィンドウ
３３  スペクトルタイルウィンドウ
３４  クロマトグラムタイルウィンドウ
３５  三次元表示タイルウィンドウ
３６  コントロールウィンドウ
３６ａ  進行状況表示部
３６ｂ  スタートボタン
３６ｃ  ストップボタン
３６ｄ  装置条件部
３６ｅ  ステータス部
３７  フローウィンドウ
３８  ポインタ
３９  リスト表示ウィンドウ
４０  リスト
４１Ｘ，４１Ｙ  スクロールバー
４２  「保存」ボタン
４３  「適用」ボタン
４４  レポート通常ウィンドウ
４５  シーケンス編集リスト通常ウィンドウ
４６  スケール変更通常ウィンドウ
４７  通常ウィンドウに対する余白エリア
４８，４９ａ，４９ｂ  余白エリア
【図１】
2008052580.tif 000003
【図２】
2008052580.tif 000004
【図３】
2008052580.tif 000005
【図４（ａ）】
2008052580.tif 000006
【図４（ｂ）】
2008052580.tif 000007
【図５（ａ）】
2008052580.tif 000008
【図５（ｂ）】
2008052580.tif 000009
【図６（ａ）】
2008052580.tif 000010
【図６（ｂ）】
2008052580.tif 000011
【図７（ａ）】
2008052580.tif 000012
【図７（ｂ）】
2008052580.tif 000013
【図８（ａ）】
2008052580.tif 000014
【図８（ｂ）】
2008052580.tif 000015
【図９（ａ）】
2008052580.tif 000016
【図９（ｂ）】
2008052580.tif 000017